(57)【要約】【課題】  シュータ内の搬送中の残留芝草を、このシュータ底部下方に落下排出させる形態では、このシュータの下側にはアクスルハウジング等が配置構成されるため、前後のプレート間に芝草の一部が落下停滞して、プレートの起伏回動が行われ難くなったり、シュータ内の芝草の詰りを生じ易く、構成、操作が煩雑となる。【解決手段】  車体腹部に装着のモアデッキ１の排出口２と、車体後部に装着のコレクタ３の供給口４との間にわたって連通するシュータ５の底部に、このコレクタ３の供給口４にのぞむメインプレート６を後傾反転させて集草を送込可能に設け、このメインプレート６の前端には、前記モアデッキ１の排出口２側に向けたプレート縁７を、シュータ５内の上下に位置させるように起伏回動可能のサブプレート８を連設する。【選択図】  図１
2010193827.tif 000002
【特許請求の範囲】
【請求項１】
車体腹部に装着のモアデッキ（１）の排出口（２）と、車体後部に装着のコレクタ（３）の供給口（４）との間にわたって連通するシュータ（５）の底部に、このコレクタ（３）の供給口（４）にのぞむメインプレート（６）を操作レバー（９）の操作により後傾反転させて集草を送込可能に設け、このメインプレート（６）の前端には、前記モアデッキ（１）の排出口（２）側に向けたプレート縁（７）を、シュータ（５）内の上下に位置させるように起伏回動可能のサブプレート（８）を連設したことを特徴とするトラクタモアーの集草装置。
【請求項２】
前記メインプレート（６）を後傾反転操作する操作レバー（９）の初期回動域でサブプレート（８）を起伏回動し、続く回動域でこのサブプレート（８）の起伏状態を維持したメインプレート（６）を起伏回動可能に設けたことを特徴とする請求項１に記載のトラクタモアーの集草装置。
【請求項３】
前記サブプレート（８）を有したメインプレート（６）の後傾反転の回動操作において、これらメインプレート（６）とサブプレート（８）の回動差を吸収可能に設けたことを特徴とする請求項１、又は２に記載のトラクタモアーの集草装置。
【請求項４】
前記メインプレート（６）の後傾反転回動を、このメインプレート（６）の前端部のサブプレート（８）を起立させた状態にして行わせることを特徴とする請求項１、２、又は３に記載のトラクタモアーの集草装置。
【発明の詳細な説明】
【技術分野】
【０００１】
この発明は、モアデッキからコレクタへ送込搬送するシュータにおける集草詰りを防止するトラクタモアーの集草装置に関する。
【背景技術】
【０００２】
コレクタの集草を排出させるとき、シュータの底部に前後二連に起伏回動可能に構成のプレートを配置して、これらのプレートを操作レバーによって順次起立回動させて、このシュータ内に残留する集草を、コレクタ側へ送込むと共に、この起立回動されたシュータ底面の開放部から後続排送される芝草を排出させて、シュータ内の芝草の残留、詰り等をなくする技術（例えば、特許文献１）が知られている。
【先行技術文献】
【特許文献】
【０００３】
【特許文献１】特開２００８−２０６４６８号公報（第７頁、図７）。
【発明の概要】
【発明が解決しようとする課題】
【０００４】
コレクタに収集した芝草を排出するとき、このコレクタに送込むシュータの底部の前後プレートを後傾転倒させて、シュータ内の搬送中の残留芝草を、このシュータ底部下方に落下排出させる形態では、このシュータの下側にはアクスルハウジング等が配置構成されるため、前後のプレート間に芝草の一部が落下停滞して、プレートの起伏回動が行われ難くなったり、シュータ内の芝草の詰りを生じ易く、構成、操作が煩雑となる。
【課題を解決するための手段】
【０００５】
請求項１に記載の発明は、車体腹部に装着のモアデッキ１の排出口２と、車体後部に装着のコレクタ３の供給口４との間にわたって連通するシュータ５の底部に、このコレクタ３の供給口４にのぞむメインプレート６を操作レバー９の操作により後傾反転させて集草を送込可能に設け、このメインプレート６の前端には、前記モアデッキ１の排出口２側に向けたプレート縁７を、シュータ５内の上下に位置させるように起伏回動可能のサブプレート８を連設したことを特徴とするトラクタモアーの集草装置の構成とする。
【０００６】
上記の構成によると、モアデッキ１で刈取られた芝草は、シュータ５を介して車体後部のコレクタ３へ集草収容される。この芝草を収集したコレクタ３をダンプして集草排出するときは、操作レバー９による操作によって、サブプレート８及びメインプレート６を起伏回動して、このシュータ５内の集草をモアデッキ１の排出口２からの送込芝草と仕切りして、このシュータ５内の集草を供給口４からコレクタ３内へ送込んで、シュータ５内の残留芝草をなくして、後続の芝草搬送を円滑に行わせるものである。
【０００７】
サブプレート８が前方下部に倒れている状態では、排出口２から排出される芝草をシュータ５内へ案内して、供給口４側へ搬送させる。このサブプレート８を起立回動すると、シュータ５の始端部が排出口２から仕切られて、このサブプレート８の起立回動によって上面を搬送中の芝草をメインプレート６上面側へ掻込むようにして集草の仕切りを行い、この後続として排出口２から排出される芝草があると、起立回動したサブプレート８の前側面を下方へ案内されてモアデッキ１跡の圃場面へ排出案内される。又、このサブプレート８の起立回動によって掻込まれたメインプレート６上の芝草は、続くメインプレート６の後傾反転、乃至起立回動によって、供給口４からコレクタ３内へ送込まれる。
【０００８】
このように、サブプレート８はメインプレート６の前端部において、起伏回動可能に連設されるため、仕切芝草のメインプレート６上面への掻込を的確に円滑に行わせる。又、この掻込まれた芝草を全てそのままメインプレート６の後傾転倒、及びこれと一体的なサブプレート８の回動によって、供給口４へ送込まれる。
【０００９】
請求項２に記載の発明は、請求項１に記載のトラクタモアーの集草装置において、前記メインプレート６を後傾反転操作する操作レバー９の初期回動域でサブプレート８を起伏回動し、続く回動域でこのサブプレート８の起伏状態を維持したメインプレート６を起伏回動可能に設ける。前記のようにサブプレート８、及びメインプレート６の起伏回動操作は、操作レバー９の前後、乃至上下方向の回動操作によって行われる。この操作レバー９の初期回動域では、メインプレート６をシュータ５の底部に位置させた状態にして、このメインプレート６の前端縁に対してサブプレート８を起伏回動することができ、このサブプレート８をメインプレート６に対して起立回動することによって、排出口２からこのサブプレート８上面に搬出されている芝草をメインプレート６上面へ掻込むようにして、後続排出の芝草との間を仕切る。このようにしてサブプレート８を起立させた状態から操作レバー９を操作してメインプレート６を起立回動させると、サブプレート８を芝草掻込姿勢に維持した位置から、このメインプレート６をも一体的に後傾反転させて、このメインプレート６上面の芝草をコレクタ３内へ送込むことができる。このようなサブプレート８、及びメインプレート６の一連の回動操作は、単一の操作レバー９を把持した状態で、持替えることなく行うことができる。
【００１０】
請求項３に記載の発明は、請求項１又は２に記載のトラクタモアーの集草装置であって、前記サブプレート８を有したメインプレート６の後傾反転の回動操作において、これらメインプレート６とサブプレート８の回動差を吸収可能に設ける。
【００１１】
前記のようにメインプレート６に対してサブプレート８を起立回動することによって、前記モアデッキ１の排出口２から排送される芝草をメインプレート６上面側へ掻込んで、このメインプレート６部と排出口２との間を仕切って、このメインプレート６及びサブプレート８を後傾反転させるように起立回動させて、これらメインプレート６及びサブプレート８面上の集草を供給口４からコレクタ３内へ送込む。このようなメインプレート６の起立回動時に、サブプレート８のプレート縁７がシュータ５の天井面に接近又は接当して、集草の一部を挾持したり、起立回動の抵抗を受けて、回動を制限されるも、メインプレート６は、回動差の吸収作用を受けて設定の後傾反転位置にまで回動されて、これらサブプレート８及びメインプレート６による集草を、コレクタ３内へ円滑に送込む。
【００１２】
このため、プレート縁７の突出長さがシュータ５の天井面に接近、乃至接当するようにできるだけ長く形成できるため、排出口２との間の仕切作用を正確に行い、この排出口２から排出される芝草を直接刈取地面側へ排出する排出案内を正確に行わせることができる。
【００１３】
請求項４に記載の発明は、請求項１、２、又は３に記載のトラクタモアーの集草装置において、前記メインプレート６の後傾反転回動を、このメインプレート６の前端部のサブプレート８を起立させた状態にして行わせる構成とする。
【００１４】
前記のようにサブプレート８の前下方に倒伏回動位置では、排出口２から排出される芝草をシュータ５内へ送込ませて、供給口４からコレクタ３内へ送込案内する。このサブプレート８上面の集草をメインプレート６側へ送込んで、前側の排出口２との間の仕切りを行うときは、このサブプレート８をメインプレート６に対して起立回動させる。このとき、排出口２からの後続排出の芝草は、サブプレート８の裏面部に案内されて、下方の刈取跡地面へ排出される。前記サブプレート８を起立回動してメインプレート６上面に集送された芝草は、この起立姿勢のサブプレート８位置を維持した状態のメインプレート６を起立回動して後傾反転位置にし、この上面の集草を供給口４からコレクタ３内へ送込む。
【００１５】
このようにメインプレート６の起立回動時は、サブプレート８も起立回動位置姿勢を維持するため、集草の上部分がシュータ５部等の摩擦抵抗を受けても、サブプレート８の後側部への漏落等をなくして、供給口４側への正確で、円滑な送込作用を行わせる。
【発明の効果】
【００１６】
請求項１に記載の発明は、シュータ５底部のサブプレート８をメインプレート６の前端縁部に対して、起伏回動可能に設けるため、集草シュータ５としての構成が簡潔的であり、搬送芝草の仕切りを的確に行わせることができ、この仕切られた芝草のメインプレート６への掻込、及びこの後傾反転においてはサブプレート８を一体的に回動させてコレクタ３への集草を外部に漏らせることなく円滑に行わせることができる。
【００１７】
請求項２に記載の発明は、メインプレート６を後傾反転するように操作する操作レバー９の初期回動域で、サブプレート８を起伏回動操作するため、操作レバー９を把持したままで持替えることなく初期回動域から続く後傾反転回動域へ操作して、サブプレート８を有したメインプレート６を起伏回動させて、簡単で、迅速な切替操作を行わせることができる。
【００１８】
請求項３に記載の発明は、メインプレート６、及びサブプレート８を後傾反転回動させて、これらの上面の集草を供給口４からコレクタ３内へ送込むとき、このサブプレート８の起立回動域に拘らず、この回動差を吸収する吸収作用によってメインプレート６の後傾反転回動位置を設定位置に維持して、集草を正確にコレクタ３内へ送込ませることができる。又、このためサブプレート８のプレート縁７をできるけ長く形成して、起立回動時の排出口２側と間の仕切作用を正確に行わせ、的確な集草案内作用を行わせることができる。
【００１９】
請求項４に記載の発明は、シュータ５と排出口２との間を仕切るときは、メインプレート６前端のサブプレート８を起立回動させて、プレート縁７を排出口２上端縁部のシュータ５内天井面に接近させることによって、仕切り、及びこの排出口２から排出芝草の刈取跡地面への排出案内を正確、円滑に行わせることができる。しかも、このサブプレート８を起立回動することによって、このサブプレート８上面に排出された芝草をメインプレート６上面に集送して、しかも、この集送状態を、メインプレート６の後傾反転姿勢への移行と共に維持して、このメインプレート６上の集草をサブプレート８の後側へ逃さないように保持し、的確な集送仕切り作用と、円滑なコレクタ３への送込作用を行わせることができる。
【図面の簡単な説明】
【００２０】
【図１】シュータ部の作動を示す側面図。
【図２】シュータ部の作動を示す側面図。
【図３】その連動リンク機構の平面図。
【図４】一部別例のシュータ部の作動を示す側面図。
【図５】その作動状態を示す側面図。
【図６】一部別例のシュータ部の作動を示す側面図。
【図７】トタクタモアーの側面図。
【図８】その一部作動状態を示す側面図。
【図９】一部別例を示すシュータ部の側面図。
【図１０】一部別例を示すシュータ部の側面図。
【図１１】一部別例を示すコレクタ部の平面図。
【図１２】その側面図。
【図１３】一部別例を示すコレクタの側面図。
【図１４】更に他の例を示すコレクタの側面図。
【図１５】その拡大側面図。
【発明を実施するための最良の形態】
【００２１】
図面に基づいて、トラクタモアーは、ステアリングハンドル２０によって操向する前輪２１と、運転席２２後部の後輪２３を、エンジン２４によって伝動駆動して走行する四輪走行形態の車体２５の腹部に、モアデッキ１を装着するミッドモアー形態とし、この車体２５の後部にコレクタ３を装着し、これらモアデッキ１の排出口２とコレクタ３の供給口４との間にわたって、前記運転席２２の下部を前後方向に通るシュータ５によって連通して、モアデッキ１で刈取る芝草をシュータ５で集送して、コレクタ３内へ収集するものである。
【００２２】
前記モアデッキ１は、ブレード軸２６の周りに回転されるブレード２７を有して、芝草を刈取る。車体２５に対して昇降可能に設け、後部の伝動ケース２８からＰＴＯ軸２９を介して前記ブレード軸２６を連動する。前記車体２５のフロア３０下側には、前後方向に沿って連動軸３１を設けて、エンジン２４によって連動回転し、後側の伝動ケース２８の伝動ギヤを伝動して、左右両側の後輪２３軸３２や、ＰＴＯ軸２９等を伝動回転する。
【００２３】
前記伝動ケース２８は、左右後輪２３間のセンタラインの左側寄り位置に構成されて、この右側寄り位置で、後輪軸３２上方、かつ、シートカバー３３下側に位置して前記シュータ２を設ける。３４はこのシュータ２及び伝動ケース２８とシートカバー３３との間に配置する燃料タンクである。
【００２４】
前記コレクタ３は、バックフレーム３５の外周部に通気性のネットを掛け渡してコレクタバッグ３６を構成し、前面を開口３７を形成したネットバッグの形態と、このバッグフレーム３５の前端上部を、車体２５側後端のブラケット３８に対して着脱可能に支架して、ハンドル４０の操作でダンプ軸３９周りにダンプ回動Ａさせて、開口３７を下方に向けて収容芝草を走行地面へ排出させる構成である。このコレクタ３の上面にはカバー４１を開閉自在に設ける。
【００２５】
前記車体２５の後端部には、開口３７の重合される前カバー４２を固着して設け、この前カバー４２の一部に供給口４を形成して、この供給口４にシュータ５の後端のシュータ口を連通し、後側のコレクタバッグ３６の開口３７を連通して、シュータ５を通して送込まれる芝草を、この供給口４からコレクタバッグ３６内へ供給収容させる形態である。
【００２６】
ここにおいて、主として図１〜図３に基づいて、車体腹部の装着のモアデッキ１の排出口２と、車体後部に装着のコレクタ３の供給口４との間にわたって連通するシュータ５の底部に、このコレクタ３の供給口４にのぞむメインプレート６を後傾反転させて集草を送込可能に設け、このメインプレート６の前端には、前記モアデッキ１の排出口２側に向けたプレート縁７を、シュータ５内の上下に位置させるように起伏回動可能のサブプレート８を連設する。
【００２７】
モアデッキ１で刈取られた芝草は、シュータ５を介して車体後部のコレクタ３へ集草収容される。この芝草を収集したコレクタ３をダンプ排出するときは、操作レバーによる操作によって、サブプレート８及びメインプレート６を起伏回動して、このシュータ５内の集草をモアデッキ１の排出口２からの送込芝草と遮断して、このシュータ５内の集草を供給口４からコレクタ３内へ送込んで、シュータ５内の残留芝草をなくして、後続の芝草搬送を円滑に行わせるものである。
【００２８】
サブプレート８が前方下部に倒れている状態では、排出口２から排出される芝草をシュータ５内へ案内して、供給口４側へ搬送させる。このサブプレート８を起立回動すると、シュータ５の始端部が排出口２から仕切られて、このサブプレート８の起立回動によって上面を搬送中の芝草をメインプレート６上面側へ掻込むようにして集草の仕切りを行い、この後続として排出口２から排出される芝草があると、起立回動したサブプレート８の前面を下方へ案内されてモアデッキ１跡の圃場面へ排出案内される。
【００２９】
又、このサブプレート８の起立回動によって掻込まれたメインプレート６上の芝草は、続くメインプレート６の後傾反転又は起立回動によって、供給口４からコレクタ３内へ送込まれる。このように、サブプレート８はメインプレート６の前端部において、起伏回動可能に連設されるため、仕切芝草のメインプレート６上面への掻込を的確に円滑に行わせる。
【００３０】
又、この掻込まれた芝草を全てそのままメインプレート６の後傾転倒、及びこれと一体的なサブプレート８の回動によって、供給口４へ送込まれる。
又、前記メインプレート６を後傾反転操作する操作レバー９の初期回動域でサブプレート８を起伏回動し、続く回動域でこのサブプレート８の起伏状態を維持したメインプレート６を起伏回動可能に設ける。
【００３１】
前記のようにサブプレート８、及びメインプレート６の起伏回動操作は、操作レバー９の前後、乃至上下方向の回動操作によって行われる。この操作レバー９の初期回動域では、メインプレート６をシュータ５の底部に位置させた状態にして、このメインプレート６の前端縁に対してサブプレート８を起伏回動することができ、このサブプレート８をメインプレート６に対して起立回動することによって、排出口２からこのサブプレート８上面に搬出されている芝草をメインプレート６上面へ掻込むようにして、後続排出の芝草との間を仕切る。
【００３２】
このようにしてサブプレート８を起立させた状態から操作レバー９を操作してメインプレート６を起立回動させると、サブプレート８を芝草掻込姿勢に維持した位置から、このメインプレート６をも一体的に後傾反転させて、このメインプレート６上面の芝草をコレクタ３内へ送込むことができる。
【００３３】
このようなサブプレート８、及びメインプレート６の一連の回動操作は、単一の操作レバー９を把持した状態で、持替えることなく行うことができる。
前記シュータ５は、前端をモアデッキ１の排出口２に連通し、後端をコレクタ３前カバー４２の供給口４に連通させて、後上り傾斜にして設定し、このシュータ５の天井部に横向きのレバー軸１３を回動自在に支架し、運転席２２の横側に操作レバー９を設ける。
【００３４】
前記メインプレート６は、下面のブラケットアーム１４を介してプレート支持軸１５に周りに回動自在に支持させて、このプレート支持軸１５周りに回動することによって、メインプレート６を搬送姿勢Ｂと後傾反転姿勢Ｃに切替回動することができる。又、サブプレート８は、このメインプレート６の前端縁に対して横向きのプレート軸１６の周りに起伏回動可能に設ける。
【００３５】
これらサブプレート８及びメインプレート６は、操作レバー９のレバー軸１３周りの回動操作によって、連動リンク機構１０を介して回動することができるが、前記プレート支持軸１５の左端を操作レバー９側下方に位置させて、リンクロット１７で連結し、前記ブラケットアーム１４を、プレート支持軸１５から一体的に突出される支持アーム１８の上側に支持させている。
【００３６】
このブラケットアーム１４はパイプ１９を有して、前記プレート支持軸１５外周に回動自在に嵌合支持させている。又、このプレート支持軸１５からリンクロッド４３を介してサブプレート８に連動し、このプレート支持軸１５の回動によってサブプレート８を起立姿勢Ｄ、及び倒伏姿勢Ｅに回動することができる。
【００３７】
このサブプレート８の下面にはストッパー４４を有して、メインプレート６に対するサブプレート８の起立回動角度を規制している。
前記操作レバー９を図１のように集草位置Ｆに置くときは、メインプレート６が水平状の搬送姿勢Ｂに支持され、この前端のサブプレート８が下側の倒伏姿勢Ｅに維持される。この状態では、モアデッキ１で刈取られた芝草は、排出口２からサブプレート８の上面を経てメインプレート６上面に搬送されて、コレクタ３へ収容される。
【００３８】
次に、コレクタ３の収集芝草をダンプ排出する等によって、サブプレート８を閉鎖するときは、操作レバー９をこの集草位置Ｆから前側の起立位置Ｇへ回動操作する。この操作によって、リンクロッド１７、４３等を介してサブプレート８が倒伏姿勢Ｅから起立姿勢Ｄへ回動して、このシュータ５の芝草搬送を閉鎖すると共に、この起立姿勢Ｄに切替後に排出口２からの排出芝草があるときは、これら排出口２とサブプレート８との間の開放部から下方の刈取跡地面へ排出案内される。
【００３９】
このとき、前記連動リンク機構１０においては、操作レバー９の起立位置Ｇへの回動操作によって支持アーム１８がブラケットアーム１４から下方へ回動するが、メインプレート８は、シュータ５の下端縁４５等に係止されていて、搬送姿勢Ｂを維持する形態としている。このようにして、サブプレート８の起立回動によって、排出口２からシュータ５への芝草の送込を停止すると共に、このサブプレート８上面の集草をメインプレート６上面へ集送させる。
【００４０】
続いて、この起立位置Ｇの操作レバー９を、集草位置Ｆへ操作すると、サブプレート８が倒伏姿勢Ｅへ回動されて、再度シュータ５の前端口を開いて排出口２から芝草送込を行わせることができる。
【００４１】
このようにして、シュータ５内の集草をメインプレート６によってコレクタ３内へ送込むときは、操作レバー９を、前記集草位置Ｆ、又は起立位置Ｇから後方の後傾反転位置Ｈへ回動操作する。このとき、操作レバー９の起立位置Ｇから集草位置Ｆへの操作回動によって、サブプレート８が倒伏姿勢Ｅへ回動されて、この操作レバー９の集草位置Ｆから後傾反転位置Ｈへの操作によって、メインプレート６がサブプレート８を一体として後傾反転回動されて、集草をコレクタ３内へ送込んで後傾反転姿勢Ｃに作動される。このようにしてコレクタ３への芝草収容作用が終ると操作レバー９を集草位置Ｆへ戻すことにより、メインプレート６、及びサブプレート８を搬送姿勢Ｂへ復帰させる。
【００４２】
次に、主として、図４、図５に基づいて、前記サブプレート８を有したメインプレート６の後傾反転の回動操作において、これらメインプレート６とサブプレート８の回動差を吸収可能に設けたことを特徴とする。
【００４３】
前記のようにメインプレート６に対してサブプレート８を起立回動することによって、前記モアデッキ１の排出口２から排送される芝草をメインプレート６上面側へ掻込んで、このメインプレート６部と排出口２との間を仕切って、このメインプレート６及びサブプレート８を後傾反転させるように起立回動させて、これらメインプレート６及びサブプレート８面上の集草を供給口４からコレクタ３内へ送込む。
【００４４】
このようなメインプレート６の起立回動時に、サブプレート８のプレート縁７がシュータ５の天井面に接近又は接当して、集草の一部を挾持したり、起立回動の抵抗を受けて、回動を制限されるも、メインプレート６は、この回動差の吸収作用を受けて設定の後傾反転位置にまで回動されて、これらサブプレート８及びメインプレート６による集草を、コレクタ３内へ円滑に送込む。
【００４５】
このため、プレート縁７の突出長さがシュータ５の天井面に接近又は接当するようにできるだけ長く形成できるため、排出口２との間の仕切作用を正確に行い、この排出口２から排出される芝草を直接刈取地面側へ排出する排出案内を正確に行わせることができる。
【００４６】
前記操作レバー９によってメインプレート６とサブプレート８を連動操作する連動リンク機構１０に、このメインプレート６の後傾反転回動に対するサブプレート８の回動差を吸収するためのリンクピン１１係合用の長穴１２を設けた構成とする。
【００４７】
前記リンクロッド１７と連結してプレート支持軸１５周りに回動するベルクランク４６上のリンクピン１１を係合させるリンクロッド４３用のピン穴を長穴１２に形成して、これらサブプレート８及びメインプレート６を起伏回動する。
【００４８】
図５のように、メインプレート６を後傾反転姿勢Ｃへ回動するとき、サブプレート８のプレート縁７がシュータ５の天井部に接当したり、接近して集草の一部を挾持することがあって、このサブプレート８の回動を制限することがあっても、操作レバー９による回動でリンクロット１７、及びプレート支持軸１５上のベルクランク４６と一体のリンクピン１１を回動させて、長穴１２を形成するリンクロッド４３を駆動させないで、サブプレート８をこれ以上に強制回動させない。このためメインプレート６の後傾反転回動を大きく行わせてコレクタ３への集草送込作用を正確に行わせ、又、サブプレート８の突出長さ、乃至回動径を大きく維持形成することができる。
【００４９】
又、図６に基づいて、前記メインプレート６の後傾反転回動を、このメインプレート６の前端部のサブプレート８を起立させた状態にして行わせる構成とする。前記のようにサブプレート８の前下方に倒伏回動位置では、排出口２から排出される芝草をシュータ５内送込ませて、供給口４からコレクタ３内へ送込案内する。このサブプレート８上面の集草をメインプレート６側へ送込んで、前側の排出口２との間の仕切りを行うときは、このサブプレート８をメインプレート６に対して起立回動させる。
【００５０】
このとき、排出口２からの後続排出の芝草は、サブプレート８の裏面部に案内されて、下方の刈取跡地面へ排出される。前記サブプレート８を起立回動してメインプレート６上面に集送された芝草は、この起立姿勢のサブプレート８位置を維持した状態のメインプレート６を起立回動して後傾反転位置にし、この上面の集草を供給口４からコレクタ３内へ送込む。
【００５１】
このようにメインプレート６の起立回動時は、サブプレート８も起立回動位置姿勢を維持するため、集草の上部分がシュータ５部等の摩擦抵抗を受けても、サブプレート８の後側部への漏落等をなくして、供給口４側への正確で、円滑な送込作用を行わせる。
【００５２】
前記操作レバー９の回動操作位置を前方下側の集草位置Ｆから後方上側の起立位置Ｇ、及び後傾反転位置Ｈへと操作して、サブプレート８を起立させた状態のままでメインプレート６を後傾反転姿勢Ｃにして、サブプレート８によって仕切り、掻込んだ集草をコレクタ３へ送込むものである。この形態の連動リンク機構１０は、前記リンクロッド４３のサブプレート８への連結位置を、プレート軸１６よりも上側位置に連結して、このサブプレート８の回動方向を上例（図１〜図５）とは逆向きに回動させる。
【００５３】
次に、図９に基づいて、モアデッキ１の排出口２上側部に、プレート軸５０周りに前後回動可能のフロントプレート５１を設けて、このフロントプレート５１の回動によって排出口２部に位置する芝草を後側のシュータ５、及び前記メインプレート６上へ送込むことができる。
【００５４】
又、この排出口２底面側には、開閉軸５２の周りに上下回動して、底口５３を開閉する開閉プレート５４を設ける。この開閉プレート５４を下方へ回動して底口５３を開くことにより、この排出口２部に詰る芝草をシュータ５の下方へ排出することができる。前記メインプレート６の前端縁を、この開閉プレート５４の後端に接近させている。
【００５５】
これらフロントプレート５１、及び開閉プレート５４は、フロア３０上のペダル５５の踏込み操作によって回動することができる。ペダル５５を復帰スプリングに抗してペダル軸５６周りに踏込み回動すると、リンクロッド５７を介してフロントプレート５１を後方へ回動して、排出口２部に停滞する芝草をシュータ５内へ掻込む。更に、リンクロッド５８を介して開閉プレート５４を下方へ回動して、底口５３を開いて、この排出口２部の芝草をシュータ５外へ排出することができる。
【００５６】
このとき、後続の刈取芝草が排出口２側へ排出されるときは、フロントプレート５１の前面（裏側面）を案内される芝草が開かれた底口５３から下方へ排出案内することができる。フロントプレート５１は、排出口２の前上側面に位置していて、下側後方へ回動することにより、この排出口２の芝草を後方へ送出す。このフロントプレート５１の後方回動位置は、底口５３上を越えた位置で停止して、このフロントプレート５１の裏面側で案内する芝草をこの底口５３から外側へ排出案内する関係に設定している。
【００５７】
又、このフロントプレート５１で仕切られたシュータ５内の芝草は、メインプレート６の後傾反転回動によって、供給口４からコレクタ３内へ送込まれる。
次に、図１０に基づいて、前記メインプレート６の前端部に設けるサブプレート８を、前記操作レバー９部に設けるサブレバー６１の把持によって、ワイヤー６２を介して起伏回動操作する構成である。このサブプレート８の前方倒伏状態において、前記開閉プレート５４の配置される底口５３上側面を覆う状態にあって、排出口２部の芝草搬送を案内する形態である。前記サブレバー６１を把持して操作レバー９を引上げ回動することにより、サブプレート８を起立させて芝草をメインプレート６上に掻込んだ状態にして、このメインプレート６を後傾反転回動して、芝草をコレクタ３内へ送込む。この状態でペダル５５を踏込操作すると、フロントプレート５１を排出口２部へ回動させると共に、開閉プレート５４を下動させて底口５３を開いて、モアデッキ１側から送出される芝草をこのフロントプレート５１の裏面で案内して底口５３から下方へ排出させる。
【００５８】
又、このフロントプレート５１は、メインプレート６やサブプレート８を倒伏せさせた状態のままで回動操作することができる。
次に、図１１、図１２に基づいて、コレクタバッグ３６内の天井部に、供給口４の高さよりも狭い適宜高さのシュータ５を介して放出供給される芝草を案内するガイドプレート６５を設けたもので、供給口４から投入される芝草を後方へ案内しながら、コレクタバッグ３６内幅全体に分散収容させる。前記シュータ５の供給口４は、コレクタバッグ３６幅の右端寄位置に配置し、この供給口４の右端部から後方中央部にわたるように斜め方向に向けて設ける。
【００５９】
次いで、図１３〜図１５のコレクタ回動部の構成の改良について説明する。図１３において、ダンプ軸３９周りにハンドル４０によって回動操作されるコレクタは、車体側のフレーム７０の係止ピン７１に対してフック部７２を備えたブラケット７３の構成とし、コレクタ３の本体部をこの係止ピン７１とフック部７２との係脱によって着脱自在に構成している。従って、コレクタ本体を容易に取り外すことができる効果がある。
【００６０】
図１４，図１５のコレクタ３の回動構成は、油圧シリンダ機構７５の伸縮に伴ないダンプ軸３９周りにコレクタ３を回動させることができるものであるが、そのロックを保持し又は解除する機構７６は次のように構成している。車体側には、回動軸７７を設けこの回動軸７７周りに上下に回動自在のブラケット７８を設け、さらに該ブラケット７８にはコレクタ３側のロックピン７９に係脱しうるロックプレート８０を有する。
【００６１】
即ち、ロックプレート８０は、フック形状に設けられ該ブラケット７８に対して支持軸８２周りに上下揺動可能に設けられ、常時はスプリング８３により下向きに付勢されている。さらに前記ブラケット７８にはスチールボール８４を保持したクリック機構８５を設ける。一方ロックプレート８０の外周縁部には上下２箇所に前記スチールボール８４を係止しうる凹部８０ａを形成する。
【００６２】
ロック機構８１によるロックを解除するときは、適宜手段（例えばロック解除レバー）によりスプリング８３に抗してロックプレート８０を支持軸８２回りに上方に回動させる。このためロックピン７９との係合から解放されコレクタ３のダンプ軸３９周りの回動が許容されロックが解除される（図１５中仮想線）。ロックプレート８０はロックピン７９を係合から外した後、スプリング８３の作用にてロック位置に復帰する。この状態でコレクタ３が作業姿勢に復帰すると、ロックピン７９がロックプレート８０の斜面８０ｂを滑って該ロックピン７９の進入を許容し、該ロックピン７９をフック状態とする。このロック状態において、前記ロックプレート８０の凹部８０ａはスチールボール８４に係止して固定される（図１５中実線）。従って、コレクタ３のロック状態を解除したときの衝撃を緩和できる。
【符号の説明】
【００６３】
１    モアデッキ
２    排出口
３    コレクタ
４    供給口
５    シュータ
６    メインプレート
７    プレート縁
８    サブプレート
９    操作レバー
１０    連動リンク機構
１１    リンクピン
１２    長穴
【図１】
2010193827.tif 000003
【図２】
2010193827.tif 000004
【図３】
2010193827.tif 000005
【図４】
2010193827.tif 000006
【図５】
2010193827.tif 000007
【図６】
2010193827.tif 000008
【図７】
2010193827.tif 000009
【図８】
2010193827.tif 000010
【図９】
2010193827.tif 000011
【図１０】
2010193827.tif 000012
【図１１】
2010193827.tif 000013
【図１２】
2010193827.tif 000014
【図１３】
2010193827.tif 000015
【図１４】
2010193827.tif 000016
【図１５】
2010193827.tif 000017